(57)【要約】      （修正有）【課題】黒板やホワイトボードとしての筆記機能と共に、ピン刺しによる掲示物の掲示が可能な筆記用ボードを提供する。【解決手段】黒板面又はホワイトボード面として構成される筆記面を有する筆記板２と、筆記板２の裏側に配置されて筆記板２を支持する基板とから成り、筆記面は磁着可能にされ、基板はピン刺し可能な素材製とされ、筆記板２にピン５の挿通が可能な小孔４が多数定間隔置きに形成される。一実施形態においては、筆記面にスクリーン機能が付与される。【選択図】図１
0003186645.tif 000002
【実用新案登録請求の範囲】
【請求項１】
黒板面又はホワイトボード面として構成される筆記面を有する筆記板と、前記筆記板の裏側に配置されて前記筆記板を支持する基板とから成り、前記筆記面は磁着可能にされ、前記基板はピン刺し可能な素材製とされ、前記筆記板にピンの挿通が可能な小孔が多数定間隔置きに形成されて成る、筆記用ボード。
【請求項２】
前記小孔は縦横５ｃｍ間隔に配設される、請求項１に記載の筆記用ボード。
【請求項３】
前記筆記面にはスクリーン機能が付与される、請求項１又は２に記載の筆記用ボード。
【考案の詳細な説明】
【技術分野】
【０００１】
本考案は筆記用ボードに関するものであり、より詳細には、学校等の教育機関や関連施設、あるいは、一般企業等で使用されるものであって、本来の筆記機能に加え、ピン刺しによる掲示機能を有する筆記用ボードに関するものである。
【背景技術】
【０００２】
学校等の教育機関や関連施設、あるいは、一般企業等において、黒板やホワイトボード等の筆記用ボードが広く用いられている。また、同時に、各種掲示物を掲示するための掲示ボードも用いられている。その掲示ボードは、通例木製でピン刺しが可能なものであり、掲示物はピン刺しによって保持されて掲示される。
【０００３】
また、磁性材製多孔板を重合させることにより、ピン刺しと磁着とを可能にし、そのいずれかによって掲示物を掲示することができる掲示ボードが知られている（特許文献１：実公昭３８−１７７２１号公報）。
【０００４】
ところで、黒板やホワイトボードは、スチール板の表面に黒板塗装やホーロー塗装を施したものであって、磁着可能であるため、その筆記面上にマグネットによって掲示物を掲示することができる。しかし、言うまでもなく、その筆記面にピン刺しすることはできないので、掲示物をピン刺しによって保持して掲示することはできない。
【先行技術文献】
【特許文献】
【０００５】
【特許文献１】実公昭３８−１７７２１号公報
【特許文献２】実開平７−１７５９２号公報
【特許文献３】特開２００５−２７４６６０号公報
【考案の概要】
【考案が解決しようとする課題】
【０００６】
本考案は、従来の黒板やホワイトボードの場合は、その筆記面にピン刺しによって掲示物を保持して掲示することができなかったことに鑑みてなされたものであって、黒板やホワイトボードとしての筆記機能と共に、ピン刺しによる掲示物の掲示が可能な筆記用ボードを提供することを課題とする。
【課題を解決するための手段】
【０００７】
上記課題を解決するための請求項１に記載の考案は、黒板面又はホワイトボード面として構成される筆記面を有する筆記板と、前記筆記板の裏側に配置されて前記筆記板を支持する基板とから成り、前記筆記面は磁着可能にされ、前記基板はピン刺し可能な素材製とされ、前記筆記板にピンの挿通が可能な小孔が多数定間隔置きに形成されて成る、筆記用ボードである。
【０００８】
一実施形態においては、前記小孔は縦横５ｃｍ間隔に配設され、また、前記筆記面にスクリーン機能が付与される。
【考案の効果】
【０００９】
本考案は上述したとおりであって、本考案に係る筆記用ボードは、筆記面にピン刺し可能な小孔を有しているため、黒板やホワイトボードとしての筆記機能と共に、ピン刺しによる掲示物の掲示が可能となる効果がある。
【００１０】
また、小孔が定間隔置きに設けられるため、小孔を暗線として機能させることが可能となり、筆記面への筆記に際し、文字の大きさを揃えて規則正しく筆記したり、表やグラフの作成に利用したりすることができる効果がある。
【００１１】
更に、筆記面が磁着可能とされるので、ピン刺しによる他、磁着によって掲示物を掲示し得る効果があり、また、本筆記用ボードを、固定式又は移動式の黒板又はホワイトボードとして実施することができ、スクリーンとして利用することも可能なる効果がある。
【図面の簡単な説明】
【００１２】
【図１】本考案の一実施形態を示す部分正面図である。
【図２】本考案の一実施形態を示す部分拡大正面図である。
【図３】本考案の一実施形態を示す部分拡大断面図である。
【考案を実施するための形態】
【００１３】
本考案を実施するための形態について、添付図面を参照しつつ説明する。図１は、本発明の一実施形態として、本筆記用ボードを壁面固定式の大型ボードに適用した場合の構成例を示す部分正面図、図２はその部分拡大正面図、図３はその部分拡大断面図である。
【００１４】
本考案に係る筆記用ボード１は、筆記板２と、筆記板２の裏側に配置されて筆記板２を支持する基板３とから成る。通例、筆記板２は、スチール板に黒板塗料を塗布して黒板として構成され、あるいは、スチール板にホーロー焼付け塗装してホワイトボードとして構成される。そのため、筆記板２は、その筆記面に磁着可能となる。
【００１５】
基板３は、木製板や合成樹脂板等のピン刺し可能な素材製とされ、筆記板２には、画びょう、留めピン等のピン５を挿通させる小孔４が多数形成される。かくして、ピン５を任意の位置の小孔４を通して基板３に刺し込むことにより、掲示物６を筆記板２上の任意の位置に留め付けることが可能となる。
【００１６】
また、筆記板２の筆記面は磁着可能であるので、上記ピン刺しによるだけでなく、磁着による掲示物の掲示も可能である。なお、図面上小孔４は、その存在を明らかにするために目立つように表現されているが、実際の大きさは、ピン５が通る程度の小さなものであるため、それほど目立つものではない。
【００１７】
小孔４は、定間隔置きに、例えば、図示したように縦横定間隔置き（例えば、縦横５ｃｍ間隔）に配設される。そのようにすることにより、小孔４群に暗線の役目を果たさせることが可能となる。即ち、図２に示すように、この小孔４によって囲まれる区画を１マスとして文字７を筆記していくことにより、文字７の大きさを揃えて規則正しく見やすく筆記することができ、また、小孔４を、表やグラフの作成に利用することも可能となる。
【００１８】
このように本考案に係る筆記用ボード１は、黒板やホワイトボードとしての本来の筆記用途だけではなく、同時にピン刺しや磁着による掲示板としての機能も果たすことができる。そして、更に、筆記板２の筆記面を特殊加工することにより、その筆記面に映写スクリーンの機能を具備させることもできる。
【００１９】
その筆記面に映写スクリーンの機能を具備させるためには、研ぎ出し加工、焼付け加工等により筆記面を形成するに当たり、その筆記面を薄有色にすると共に、表面粗さをチョーク及びマーカーの使用及びその払拭に適した範囲、即ち、ＪＩＳ  Ｂ  ０６０１表面粗さの規格における最大高さＲｙの範囲を、基準長さ２．５ｍｍにおいて４．９乃至１０．５μｍに設定したものを用いればよい。その色は、例えば、薄いグレー、グリーン、ブルー、ベージュ又はピンクとされる。
【００２０】
この多機能な複合筆記面は、本願出願人が開発したものであって、その筆記面がスクリーンとしての使用に適する薄有色であって、表面粗さがチョーク及びマーカーの使用及びその払拭に適した範囲であるため、一つの筆記面にてチョークボード、マーカーボード、更にはスクリーンとしての利用が可能となるのである。
【００２１】
この考案をある程度詳細にその最も好ましい実施形態について説明してきたが、この発明の精神と範囲に反することなしに広範に異なる実施形態を構成することができることは明白である。従って、本考案は、添付請求の範囲において限定した以外はその特定の実施形態に制約されるものではない。
【符号の説明】
【００２２】
１    筆記用ボード
２    筆記板
３    基板
４    小孔
５    ピン
６    掲示物
７    文字
【図１】
0003186645.tif 000003
【図２】
0003186645.tif 000004
【図３】
0003186645.tif 000005